(57)【要約】 【課題】  コストがかからず、短い時間で認証を行うことができる証明写真を撮影する装置を提供すると同時に、確実な個人認証を行う手段を提供することを課題とする。【解決手段】  申請人を撮影する撮影手段と、申請人の個人情報を入力するための情報入力手段と、当該情報をＩＣチップのメモリに格納するための情報格納手段と、撮影された写真が焼き付けられるための写真現像手段と、当該ＩＣチップ付き印画紙に現像された写真が印刷される印刷手段を備えており、申請人の写真が撮影されて印画紙に焼き付けられると同時に、予め入力された申請人の個人情報が印画紙のＩＣチップに書き込まれ、印刷された申請人の写真に専用の情報読取機を接触あるいは非接触でかざすことによりＩＣチップに格納された情報を読み取ることができ、簡易に個人認証を行うことができる。【選択図】  図１
2005189490.tif 000002
【特許請求の範囲】
【請求項１】
申請人本人の当人証明のために各種申請書類に添付する申請人本人の画像を撮影するための証明写真撮影装置であって、
申請人本人を撮影する撮影手段と、
申請人本人に関する情報を入力するための情報入力手段と、
印画紙あるいはシールプリント用紙に予め添付されたＩＣチップのメモリ内に当該情報を格納するための情報格納手段と、
当該印画紙あるいはシールプリント用紙に撮影された写真が焼き付けられるための写真現像手段と、
当該写真現像手段を用いて現像されたＩＣチップ入りの写真が印刷されるための印刷手段と、
証明写真の撮影手順を案内するための音声ガイダンス手段とを有していることを特徴とした証明写真撮影装置。
【請求項２】
前記写真現像手段と前記印刷手段が一体化した撮影手段搭載の写真シールプリント機械に情報入力手段と情報格納手段が搭載されたものであり、ＩＣチップ付きシールプリント用紙を用いて撮影された写真が印刷されることを特徴とした請求項１記載の証明写真撮影装置。
【請求項３】
申請人本人の写真撮影と本人に関する情報入力が同時に行われ、撮影された写真は、予め情報が格納されたＩＣチップ付きの印画紙あるいはシールプリント用紙に印刷されることを特徴とした請求項１あるいは請求項２記載の証明写真撮影装置。
【請求項４】
前記ＩＣチップのメモリに格納される情報は、ＩＤナンバー、申請人本人の氏名、現住所、本籍地、生年月日、性別などの個人情報および、写真の撮影年月日が含まれることを特徴とした請求項１あるいは請求項２記載の証明写真撮影装置。
【請求項５】
前記ＩＣチップは、情報を入力できるのは一度だけであり、かつ一度入力された情報は書き替えることができない機能を有することを特徴とした請求項１あるいは請求項２記載の証明写真撮影装置。
【請求項６】
前記ＩＣチップは、情報読取機を用いてメモリに格納された情報を接触あるいは非接触で読み取ることができる機能を有することを特徴とした請求項１あるいは請求項２記載の証明写真撮影装置。
【請求項７】
前記情報入力手段は、個人情報を入力するためのキーあるいは書類上に記載された個人情報を読み込むための読取装置および入力情報を表示するための表示画面を備えたことを特徴とした請求項１あるいは請求項２記載の証明写真撮影装置。
【請求項８】
前記情報入力手段は、カレンダー機能を内蔵し、写真の撮影年月日時が自動的に出力される自動出力機能を備えたことを特徴とした請求項１あるいは請求項２あるいは請求項７記載の証明写真撮影装置。
【請求項９】
前記印画紙あるいはシールプリント用紙はシール状になっており、写真が印刷された印画紙あるいはシールプリント用紙をシートから剥がして申請書あるいは免許証など申請人本人の画像が必要である書類やカードにそのまま添付できることを特徴とした請求項１あるいは請求項２記載の証明写真撮影装置。
【発明の詳細な説明】
【技術分野】
【０００１】
本発明は、ＩＣチップを埋め込んだ印画紙あるいはシールプリント用紙を利用した証明写真撮影装置に関する。
【背景技術】
【０００２】
最近指紋や虹彩などを利用して本人認証を行うシステムが開発されているが、履歴書や運転免許証、パスポートなど当人確認のために当人の写真を添付する必要がある写真において、書類に記載されている内容と写真の画像と書類を所持している人間が一致するかを認証するために、個人を識別する個人情報を登録した１２８バイトのＲＯＭが備えられている粉末状のＩＤチップを印画紙に埋め込むことが提案されている（特許文献１参照）。
【特許文献１】特開２００３−２１５７５９号公報
【発明の開示】
【発明が解決しようとする課題】
【０００３】
しかしながら、特開２００３−２１５７５９号公報によれば、１２８ビットＲＯＭを備えている粉末状のＩＤチップを認証手段として用いるため、個人識別情報および申請人の顔写真あるいは全身写真を上記ＩＤチップのメモリに格納させるためには、上記ＩＤチップを複数個用いなければならないのは自明である。従って、コストが高くなることが予想される。
【０００４】
また、申請人の写真などの画像はメモリ数が大きいため、格納された画像を表示画面に表示させるのには時間がかかり、認証そのものに従来以上の時間がかかることも予想される。
【０００５】
本発明はこのような事情に鑑みてなされたものであり、コストがかからず、短い時間で認証を行うことができる証明写真撮影装置を提供すると同時に、当該装置を用いることにより確実な個人認証を行う手段を提供することを課題とする。
【課題を解決するための手段】
【０００６】
本発明の証明写真撮影装置は、申請人本人を撮影する撮影手段と、申請人本人に関する情報を入力するための情報入力手段と、当該情報を印画紙あるいはシールプリント用紙に予め添付されたＩＣチップのメモリに格納するための情報格納手段と、当該印画紙に撮影された写真が焼き付けられるための写真現像手段と、当該現像装置を用いて現像されたＩＣチップ入りの写真が印刷されるための印刷手段を備えており、申請人本人の画像が撮影されて印画紙あるいはシールプリント用紙に焼き付けられると同時に、予め入力された申請人本人に関する個人情報が印画紙あるいはシールプリント用紙に添付されているＩＣチップに書き込まれ、ＩＣチップに格納された情報を読取機で読み取ることにより、簡易に個人認証を行うことができる。
【０００７】
本発明の証明写真撮影装置に使用されるＩＣチップのメモリには、申請人本人の氏名、現住所、本籍地、性別などの個人情報および、写真の撮影年月日がデータとして情報格納手段を用いて書き込まれており、格納された情報は専用の情報読取機を用いて接触あるいは非接触で読み取ることができる。
【０００８】
また、情報入力手段を用いて上記ＩＣチップのメモリに情報を書き込むことができるが
、情報を入力できるのは１つのメモリアドレスに対しては一度だけであり、一度書き込まれた情報を書き替えたり、上書きすることはできない。
【０００９】
上記情報入力手段は、個人情報を入力するためのキーあるいは書類上に記載された個人情報を読み込むための読取装置および入力された情報を表示するための表示画面を備えており、カレンダー機能が内蔵されているため、情報入力および写真撮影した日付をＩＣチップのメモリに自動的に書き込むことができる。
【００１０】
さらに、申請人本人の写真が印刷される印画紙あるいはシールプリント用紙はシール状になっており、個人情報が格納されたＩＣチップ付きの写真をシートから剥がして、各種申請用紙や会員証や社員証などのカードに容易に添付することができる。
【発明の効果】
【００１１】
本発明では、各種書類申請人本人の写真撮影と同時に、本人に関する個人情報の入力が行われ、入力された情報がそのままＩＣチップのメモリに書き込まれ、当該ＩＣチップは撮影された写真が印刷される印画紙あるいはシールプリント用紙に添付されるため、写真の画像と個人情報を対応させた証明写真を提供することができる。また同時に、写真撮影日も自動的にＩＣチップのメモリに書き込まれるため、撮影日を偽ることはできず、写真画像の有効期限が決まっているような提出書類に添付するための適切な写真を提供することができる。
【００１２】
さらに、当該ＩＣチップは一度入力された情報を書き替えることができない機能を有しているため、予め入力された個人情報を改ざんすることが不可能であり、申請書類の偽造を防止できる証明写真を提供することができる。それと同時に、書き替えのできないＩＣチップは書き替えの可能なＩＣチップに比較すると安い値段で提供することができるため
、コスト面においても有利である。
【００１３】
また、ＩＣチップに格納される情報量を絞ることにより、メモリの大きさを小さくすることによってコストを下げることができると同時に、情報へのアクセス時間を短縮することができるため認証時間を従来のものよりも短くすることができる。
【００１４】
そして、申請人本人の写真が印刷される印画紙あるいはシールプリント用紙はシール状になっており、個人情報が格納されたＩＣチップ付きの写真をシートから剥がして、各種申請用紙や会員証や社員証などのカードに容易に添付することができるため、既存のカードをＩＣカードに切替える必要がなく、既存のカードに写真を添付するだけでＩＣカード化をはかることができ、コストをおさえることができる。
【発明を実施するための最良の形態】
【００１５】
本発明の実施の形態に関して、以下各図面に基づいて詳細に説明する。図１は本発明の証明写真撮影装置のシステム構成図であり、図２は本発明の証明写真撮影装置を用いて証明写真を撮影する様子を示す図であり、図３は本発明の証明写真撮影装置を用いて撮影された写真が添付された書類に情報読取機をかざして情報が読み取られている様子を示す図である。
【実施例１】
【００１６】
本発明の証明写真撮影装置は、図１に示すように、撮影手段１、情報入力手段２、情報格納手段３、写真現像手段４、印刷手段５、音声ガイダンス手段６から構成されている。
【００１７】
パスポートや運転免許証、履歴書など本人写真を添付する必要がある各種書類における写真の撮影にあたって、写真撮影を希望する人は、図２に示すような証明写真撮影装置を利用する。まず、スピーカ９から流れる音声ガイダンスに従い、証明写真撮影装置内に設置されたカメラ１１などの撮影手段により自身の顔を撮影する。撮影自体は、カメラ１１付近あるいは後述する情報入力手段２に設置されたボタンやスイッチを押すだけで簡単に撮影できる仕組みになっている。このカメラ１１は、撮影される人の身長や座高に合わせて高さが自動的に切り替わる機能を備えている。撮影された画像は情報入力手段２に付属されている表示画面１０に映し出され、自身で撮影された画像を確認することができる。
【００１８】
次に、証明写真撮影装置内に設置されている情報入力手段２を用いて、ＩＣチップ８のメモリに格納すべき個人情報を入力する。図２に示したように、情報入力手段２は情報を入力するためのキーボードあるいはマウスを有し、入力された情報は液晶モニターなどの表示画面１０で確認することができる。
【００１９】
入力すべき情報は、ＩＤナンバーや申請人の氏名、現住所、本籍地、生年月日、性別などの個人情報であるが、証明写真を添付したい申請書類の内容によって、入力すべき情報内容に違いを設けることもできる。その場合は予め情報入力手段２に申請書類別のアプリケーションソフトを組み込んでおいて、申請書類別に異なる入力画面が表示画面１０に表示されるようにしておくことで、入力情報をアレンジすることができる。
【００２０】
また、情報入力手段２にはカレンダー機能が内蔵されているため、情報を入力し、かつ写真を撮影した日付が自動的に入力される。
【００２１】
以上のように情報入力手段２を用いて入力された情報は、予め印画紙あるいはシールプリント用紙７に添付されたＩＣチップ８のメモリに情報格納手段３を用いて書き込まれる
。上記印画紙あるいはシールプリント用紙７は情報格納手段３の中に格納されており、情報格納手段３を介してＩＣチップ８のメモリに有線あるいは無線で情報の書き込みが行われる。情報が書き込まれる際は、情報入力手段２に付属している表示画面１０に最終的な入力情報を確認する画面が表示された段階で、同じ画面に表示されもしくは情報格納手段３に設置された情報書き込みを指示するボタンあるいはスイッチを押すことによって、画面に表示された情報がＩＣチップ８のメモリに書き込まれる。
【００２２】
撮影された写真は、写真現像手段４を用いて現像され、印刷手段５を用いて印画紙あるいはシールプリント用紙７に印刷される。これらの工程は通常の写真が現像および印刷される工程と同じである。情報格納手段３と印刷手段５は機械的に接続されており、情報格納手段３の中に格納されていた印画紙あるいはシールプリント用紙７は印刷手段５へ送られ、印画紙あるいはシールプリント用紙７上に予め撮影および現像された写真が印刷される。
【００２３】
また印画紙あるいはシールプリント用紙７は上記のように情報格納手段３内に予め格納されている他に、印刷手段５に予めセットされていて、有線あるいは無線を用いて情報格納手段３から印刷手段５内の印画紙あるいはシールプリント用紙７に格納されるべき個人情報が送信され、印画紙あるいはシールプリント用紙７に書き込まれるように設定することも可能である。
【００２４】
写真が印刷された印画紙あるいはシールプリント用紙７はシール状になっているので、出来上がった写真を履歴書やパスポート申請書類に容易に添付することができるだけでなく、既存のカードタイプの会員証や社員証に貼ることもできるので、それらのカードをＩＣカードに交換しなくとも、貼り付けた写真内部にＩＣチップ８が搭載されているため、写真を貼り付けるだけでＩＣカードを作製することができる。
【００２５】
写真内部に格納された情報を読み取るためには、図３のように写真１２内のＩＣチップ８が搭載されている部分に専用の情報読取機１３を接触させるかあるいはかざす。そうすることにより、情報読取機１３から電波が送信され、それを受けたＩＣチップ８が起動して情報読取機１３に対してメモリ内に格納されている情報を送信する。情報読取機１３が受信した情報は情報読取機１３の表示画面に表示され、写真１２が添付された書類を審査する人間は、画面に表示された情報と書類に記載された情報を照合することにより、申請者と書類を所持している人間の認証を行うことができる。
【００２６】
さらに認証精度を高めたい場合には、申請者の全体画像を含むより詳細な個人情報をサーバに予め格納しておき、ＩＣチップ８に格納されたＩＤナンバーをサーバへのアクセスナンバーと設定することにより、サーバからの情報を取得して、取得した情報をもとに個人認証を行うアプリケーションを構成することもできる。
【実施例２】
【００２７】
次に実施例２として、既存の街中に設置されているカメラ搭載端末のシールプリント機械（図示せず）に、情報入力手段２および情報格納手段３を搭載して証明写真撮影装置として利用する場合について記載する。
【００２８】
シールプリント機械は、予め撮影手段１としてのカメラ、撮影された画像を確認するための表示画面１０、撮影された画像をシールプリント用紙に焼き付けて印刷する写真現像手段４および印刷手段５、操作手順を知らせる音声ガイダンス手段６が内蔵されている。従って、既存のシールプリント機械に、情報入力手段２および情報格納手段３を搭載し、予めＩＣチップ８を添付したシールプリント用紙を使用することによって、実施例１と同様の手段で、証明写真撮影装置として利用することが可能になる。
【００２９】
既存のシールプリント機械の場合は、実施例１に示した証明写真撮影装置と比較すると画質が劣る場合が多いため、パスポートや運転免許証のように画像にある程度の鮮明さや正確さが求められる証明写真よりは、会員権やアミューズメントパークの入場券などに気軽に利用することが考えられる。
【図面の簡単な説明】
【００３０】
【図１】図１は本発明の証明写真撮影装置のシステム構成図である。
【図２】図２は本発明の証明写真撮影装置を用いて証明写真を撮影する様子を示す図である。
【図３】図３は本発明の証明写真撮影装置を用いて撮影された写真が添付された書類に情報読取機をかざして情報が読み取られている様子を示す図である。
【符号の説明】
【００３１】
１    撮影手段
２    情報入力手段
３    情報格納手段
４    写真現像手段
５    印刷手段
６    音声ガイダンス手段
７    印画紙あるいはシールプリント用紙
８    ＩＣチップ
９    スピーカ
１０  情報入力手段の表示画面
１１  カメラ
１２  印画紙あるいはシールプリント用紙に印刷された写真
１３  情報読取機
【図１】
2005189490.tif 000003
【図２】
2005189490.tif 000004
【図３】
2005189490.tif 000005